(57)【要約】      （修正有）【課題】真横に連結することができるのみならず、ひな壇状に連結することもできる商品を陳列するための連結容器を提供する。【解決手段】有底箱体であって、該有底箱体の一方の側面１２の下部に脚部を兼ねる横接ぎ用メス型連結部２１を設け、他の一方の側面の下部に脚部を兼ねる横接ぎ用オス型連結部３１を設け、更に、前記有底箱体の前面１４にひな壇接ぎ用メス型連結部４１を設け、後面１５の丈を前面１４より高くすると共に前記後面１５にひな壇接ぎ用オス型連結部５１を設け、かつ、底面にひな壇接ぎ時に用いる補助脚部８１ａを設ける。【選択図】図５
0003181276.tif 000002
【実用新案登録請求の範囲】
【請求項１】
有底箱体であって、該有底箱体の一方の側面の下部に脚部を兼ねる横接ぎ用メス型連結部を設け、他の一方の側面の下部に脚部を兼ねる横接ぎ用オス型連結部を設け、更に、前記有底箱体の前面にひな壇接ぎ用メス型連結部を設ける一方、後面の丈を前面よりも高くすると共に前記後面にひな壇接ぎ用オス型連結部を設け、かつ、前記有底箱体の底面にひな壇接ぎ時に用いる補助脚部を具備することを特徴とする連結容器。
【請求項２】
補助脚部は、一端が有底箱体の底面に接合され、他の一端が格納位置と立脚位置との間を回動自在であることを特徴とする請求項１記載の連結容器。
【請求項３】
有底箱体の底面に、補助脚部格納用オス型連結部と補助脚部立脚用オス型連結部を設け、前記補助脚部の少なくとも一端に格納兼立脚用メス型連結部を設けることを特徴とする請求項１記載の連結容器。
【請求項４】
有底箱体の底面に補助脚部格納用の凹所を設け、該凹所に横リブ形の補助脚部格納用オス型連結部を設けると共に、前記凹所に設けられた空所の後端部にＬ字形の補助脚部立脚用オス型連結部を設け、かつ前記補助脚部の少なくとも一端に設けた格納兼立脚用メス型連結部にＬ字形の溝を設けることを特徴とする請求項１記載の連結容器。
【請求項５】
ひな壇接ぎ用メス型連結部に装着するプライスケースを備えることを特徴とする請求項１〜４いずれかに記載の連結容器。
【考案の詳細な説明】
【技術分野】
【０００１】
本考案は、入浴剤などのシリーズ商品を陳列するうえで有効な連続容器に関するものである。
【背景技術】
【０００２】
従来、充填物を収容する有底筒部の上端周方向にシール部が形成され、このシール部より外周方向に１以上の突起からなる連結部を四方に設けたフランジを有し、かつ、前記連結部の少なくとも１箇所に他の連結容器を重ね、突起どうしを嵌合することにより、互いに着脱自在に連結するようにした連結容器が知られている（例えば、特許文献１参照。）。
【０００３】
この連結容器は、フランジに設けられている突起どうしを嵌合することによって連結容器を前後左右に連結することができる優れた連結容器である。また、充填物が食品や飲料、あるいは、医薬用品や衛生用品の場合は、その機能を十分に発揮することができる。
【０００４】
しかし、入浴剤などのシリーズ商品の陳列には適さないし、また、入浴剤などのシリーズ商品をひな壇状に陳列することもできない。
【先行技術文献】
【特許文献】
【０００５】
【特許文献１】実用新案登録第３１７４０３２号公報
【考案の概要】
【考案が解決しようとする課題】
【０００６】
本考案は、真横に連結することができるのみならず、ひな壇状に連結することもできる連結容器を提供することにある。
【課題を解決するための手段】
【０００７】
本考案の請求項１に係る考案は、有底箱体であって、該有底箱体の一方の側面の下部に脚部を兼ねる横接ぎ用メス型連結部を設け、他の一方の側面の下部に脚部を兼ねる横接ぎ用オス型連結部を設け、更に、前記有底箱体の前面にひな壇接ぎ用メス型連結部を設ける一方、後面の丈を前面よりも高くすると共に前記後面にひな壇接ぎ用オス型連結部を設け、かつ、前記有底箱体の底面にひな壇接ぎ時に用いる補助脚部を具備することを特徴とするものである。
【０００８】
本考案の請求項２に係る考案は、補助脚部は、一端が有底箱体の底面に接合され、他の一端が格納位置と立脚位置との間を回動可能であることを特徴とするものである。
【０００９】
本考案の請求項３に係る考案は、有底箱体の底面に、補助脚部格納用オス型連結部と補助脚部立脚用オス型連結部を設け、前記補助脚部の少なくとも一端に格納兼立脚用メス型連結部を設けることを特徴とするものである。
【００１０】
本考案の請求項４に係る考案は、有底箱体の底面に補助脚部格納用の凹所を設け、該凹所に横リブ形の補助脚部格納用オス型連結部を設けると共に、前記凹所に設けられた空所の後端部にＬ字形の補助脚部立脚用オス型連結部を設け、かつ前記補助脚部の少なくとも一端に設けた格納兼立脚用メス型連結部にＬ字形の溝を設けることを特徴とするものである。
【００１１】
本考案の請求項５に係る考案は、ひな壇接ぎ用メス型連結部に装着するプライスケースを備えることを特徴とするものである。
【考案の効果】
【００１２】
本考案は、有底箱体の一方の側面の下部に脚部を兼ねる横接ぎ用メス型連結部を設け、他の一方の側面の下部に脚部を兼ねる横接ぎ用オス型連結部を設けているため、或る有底箱体側面の横接ぎ用オス型連結部を他方の有底箱体側面の横接ぎ用メス型連結部に差し込むことにより、複数の有底箱体を真横に連結することができる。
【００１３】
また、有底箱体の前面にひな壇接ぎ用メス型連結部を設け、後面の丈を前面より高くすると共に前記後面にひな壇接ぎ用オス型連結部を設けているため、或る有底箱体の後面のひな壇接ぎ用オス型連結部に他方の有底箱体の前面のひな壇メス型連結部を引っ掛けることにより、複数の有底箱体をひな壇状に連結することができる。その際、後方の有底箱体の補助脚部を立脚させることにより、有底箱体の転倒を防止することができる。なお、本考案の連結容器は、単独で使用することもできる。
【図面の簡単な説明】
【００１４】
【図１】本考案に係る連結容器の一例を示す正面図である。
【図２】当該連結容器の平面図である。
【図３】当該連結容器の一部断面を含む側面図である。
【図４】（ａ）はプライスケースの正面図、（ｂ）はプライスケースの側面図である。
【図５】ひな壇状に連結した２個の連結容器の側面図である。
【図６】本考案に係る連結容器の他の一例を示す正面図である。
【図７】当該連結容器の平面図である。
【図８】図７のＡ−Ａ断面図である。
【図９】補助脚部の平面図である。
【図１０】図９のＢ−Ｂ断面である。
【図１１】（ａ）はプライスケースの正面図、（ｂ）はプライスケースの側面図である。
【図１２】ひな壇状に連結した２個の連結容器の断面図である。
【図１３】本考案に係る連結容器の更に他の一例を示す正面図である。
【図１４】当該連結容器の平面図である。
【図１５】図１４のＣ−Ｃ断面図である。
【図１６】補助脚部の平面図である。
【図１７】図１６のＤ−Ｄ断面である。
【図１８】（ａ）はプライスケースの正面図、（ｂ）はプライスケースの側面図である。
【図１９】ひな壇状に連結した２個の連結容器の断面図である。
【図２０】補助脚部の連結方法説明図である。
【考案を実施するための形態】
【００１５】
本考案に係る連結容器の一例（第一実施例）を図１〜図５を用いて説明する。図１〜図３に示すように、本考案に係る連結容器１０は、有底箱体１１を主体または主要部とするものである。有底箱体１１は、その一方の側面１２の下部に脚部を兼ねる横接ぎ用メス型連結部２１を設け、他の一方の側面１３の下部に脚部を兼ねる横接ぎ用オス型連結部３１を設けている。
【００１６】
横接ぎ用メス型連結部２１は、Ｕまたは凹の字形に形成され、その溝２２に、当該連結容器１０とは別の連結容器１０の平板状の横接ぎ用オス型連結部３１を挿入できるようになっている。横接ぎ用オス型連結部３１は、横接ぎ時に横接ぎ用メス型連結部２１の溝底と干渉しないように、凹の字形の切欠き部３２を設けている。
【００１７】
また、連結容器１０は、有底箱体１１の前面１４の上端にひな壇接ぎ用メス型連結部４１を設け、後面１５の丈を前面１４よりも高くすると共に、後面１５の上端をひな壇接ぎ用オス型連結部５１としている。
【００１８】
ひな壇用メス型連結部４１は、Ｕまたは凹字形を倒立させたような形状に形成され、その溝４２に、当該連結容器１０とは別の連結容器１０の後面１５の上端のひな壇用オス型連結部５１を挿入できるようになっている。
【００１９】
更に、連結容器１０は、底面１６にひな壇接ぎ時に用いる補助脚部８１ａを具備している。補助脚部８１ａは、その一端が接合部６１を介して底面１６に設けた穴６２の後端部に接合され、他の一端が格納位置と立脚位置との間を回動可能になっている。
【００２０】
図４（ａ）および（ｂ）に示すように、プライスケース１００は、側面視Ｓの字形に形成され、前面１４のひな壇用メス型連結部４１に装着できるようになっている。
【００２１】
上記連結容器１０およびプライスケース１００は、透明ＰＥＴ（ポリエチレンテレフタレート）により形成されることが望ましいが、これに限定されることはない。
【００２２】
図５に示すように、前段の連結容器１０の後面１５の上端に設けられているひな壇接ぎ用オス型連結部５１に、後段の連結容器１０の前面１４の上端に設けられているひな壇メス型連結部４１を嵌合させることによって複数の連結容器１０をひな壇状に連結することができる。その際、後段の連結容器１０の補助脚部８１ａを立脚して陳列台や陳列ケース１８上に接地することにより、連結した前後２段の連結容器１０，１０の転倒を防止することができる。
【００２３】
他方、或る連結容器１０の横接ぎ用オス型連結部３１を、別の連結容器１０の横接ぎ用メス型連結部２１の溝２２に嵌合させることによって複数の連結容器１０どうしを真横に連結させることができる。また、ひとつの連結容器１０をそれぞれ単独で使用することもできる。
【００２４】
次に、本考案に係る連結容器の他の一例（第二実施例）を図６〜図１２を用いて説明する。しかし、既に説明した第１の実施形態の部位と同じ部位には、同じ符号を付けて詳しい説明を省略する。
【００２５】
第１の実施形態の連結容器と異なる点は、図８に示すように、有底箱体１１の底面１６に補助脚部８１ｂを着脱自在に装着した点にある。
【００２６】
補助脚部８１ｂは、その両端に設けたメス型連結部８３によって有底箱体１１の底面１６の下面に設けられている前後一対のオス型連結部６４に止着されている。補助脚部８１ｂは、図９〜図１０に示すように、短冊形の板材８２の両端に凹の字形のメス型連結部８３を有しており、その溝８４は、短冊形の板材８２の前方方向に向けられている。
【００２７】
上記オス型連結部６４は、横リブ形のものであり、底部１６の前後両側に設けられている。また、底部１６は、２個のオス型連結部６４の中間部に長方形の空所（貫通部）６３を設けるとともに、空所（貫通部）６３の後辺部をオス型連結部６５となしている。
【００２８】
上記連結容器１０およびプライスケース１００は、一体成形可能なようにＧＰＰＳ（汎用ポリスチレン）により形成されることが望ましいが、これに限定されることはない。
【００２９】
図１２に示すように、前段の連結容器１０の後面１５の上端に設けられているひな壇接ぎ用オス型連結部５１に、後段の連結容器１０の前面１４の上端に設けられているひな壇メス型連結部４１を嵌合させることによって複数の連結容器１０をひな壇状に連結することができる。
【００３０】
その際、後段の連結容器１０の底面１６の下方から補助脚部８１ｂを取り外した後、補助脚部８１ｂの一端にあるメス型連結部８３を連結容器１０の底面１６に設けられている空所（貫通部）６３の後端部にあるオス型連結部６５に嵌合させて補助脚部８１ｂを立脚させる。そして、補助脚部８１ｂの他の一端を陳列台や陳列ケース１８上に接地させることにより、連結された前後２段の連結容器１０，１０の転倒を防止することができる。
【００３１】
他方、或る連結容器１０の横接ぎ用オス型連結部３１を、別の連結容器１０の横接ぎ用メス型連結部２１の溝２２に嵌合させることによって複数の連結容器１０どうしを真横に連結させることができる。また、ひとつの連結容器１０をそれぞれ単独で使用することもできる。
その他の構成および作用は、第一実施例と同様であるので省略する。
【００３２】
次に、本考案に係る連結容器の更に他の一例（第三実施例）を図１３〜図２０を用いて説明する。しかし、既に説明した第１の実施形態の部位と同じ部位には、同じ符号を付けて詳しい説明を省略する。
【００３３】
第１の実施形態の連結容器と異なる点は、図１５に示すように、有底箱体１１内に補助脚部８１ｃを格納している点にある。
【００３４】
図１４に示すように、有底箱体１１は、底部１６の中央部に前後方向の凹所（窪み部）６７を具備し、通常、この凹所（窪み部）６７内に補助脚部８１ｃを格納している。補助脚部８１ｃは、図１６〜図１７に示すように、短冊形の板材８２の両端にメス型連結部８３を有し、この２個のメス型連結部８３，８３が凹所（窪み部）６７内に設けられている横リブ状の２個のオス型連結部６４，６４に嵌合している。
【００３５】
メス型連結部８３は、図１７に示すように、Ｌ字形の溝８５を具備するとともに、この溝８５の両側にある縁部のうち、板材８２の中央部寄りの縁部８６の一部に、図１６に示すように、所定の横幅を持つ切欠き部８７を備えている。これらの切欠き部８７，８７は、メス型連結部８３の中心Ｏに対して点対称となっている。
【００３６】
上記オス型連結部６４は、凹所（窪み部）６７の前後両側に設けられている。また、底部１６は、２個のオス型連結部６４の中間部に長方形の空所（貫通部）６３を設けるとともに、空所（貫通部）６３の後端部にＬ字形のオス型連結部６８を設けている。このＬ字形のオス型連結部６８は、空所（貫通部）６３の後部中央にのみ設けられている。このＬ字形のオス型連結部６８の横幅は、補助脚部８１ｃに設けられている切欠き部８７の横幅より若干狭くなっている。
【００３７】
上記連結容器１０およびプライスケース１００は、ＧＰＰＳにより形成されることが望ましいが、これに限定されることはない。
【００３８】
図１９に示すように、前段側の連結容器１０の後面１５の上端に設けられているひな壇接ぎ用オス型連結部５１に、後段側の連結容器１０の前面１４の上端に設けられているひな壇メス型連結部４１を嵌合させることによって複数の連結容器１０をひな壇状に連結することができる。
【００３９】
その際、後段の連結容器１０内から補助脚部８１ｃを取り外した後、補助脚部８１ｃの一方の側にあるメス型連結部８３に設けられているＬ字形の溝８５を連結容器１０の底面１６に設けられているＬ字形のオス型連結部６８に嵌合させて補助脚部８１ｃを立脚させる。
【００４０】
この時、図２０に示すように、底部１６の空所（貫通部）６３の後端部に設けられているＬ字形のオス型連結部６８に補助脚部８１ｃの切欠き部８７を対峙させる。次に、補助脚部８１ｃを矢印ａ方向に移動させてメス型連結部８３のＬ字形の溝８５内に空所（窪み部）６７の後端部に設けられているＬ字形のオス型連結部６８を挿入させる。
【００４１】
その後、補助脚部８１ｃを矢印ｂ方向に移動させて空所（窪み部）６７の中央に移動させると、図１９に示すように、補助脚部８１ｃが連結容器１０の底部１６に固定される。そして、補助脚部８１ｃの他の一端を陳列台や陳列ケース１８上に接地させることによって連結された前後２段の連結容器１０，１０の転倒を防止することができる。
【００４２】
他方、或る連結容器１０の横接ぎ用オス型連結部３１を、別の連結容器１０の横接ぎ用メス型連結部２１の溝２２に嵌合させることによって複数の連結容器１０どうしを真横に連結させることができる。また、ひとつの連結容器１０をそれぞれ単独で使用することもできる。
その他の構成および作用は、第二実施例と同様であるので省略する。
【産業上の利用可能性】
【００４３】
本考案の連結容器は、シャンプー、トリートメント、入浴用液体洗剤などの入浴のほか、医薬用品や衛生用品、さらには各種の調味料などの食用品などの各種の品物の陳列ケースとして有用である。
【符号の説明】
【００４４】
１１  有底箱体
１２，１３  側面
１４  前面
１５  後面
１６  底面
２１  脚部を兼ねる横接ぎ用メス型連結部
３１  脚部を兼ねる横接ぎ用オス型連結部
４１  ひな壇接ぎ用メス型連結部
５１  ひな壇接ぎ用オス型連結部
８１ａ，８１ｂ，８１ｃ  補助脚部
【図１】
0003181276.tif 000003
【図２】
0003181276.tif 000004
【図３】
0003181276.tif 000005
【図４】
0003181276.tif 000006
【図５】
0003181276.tif 000007
【図６】
0003181276.tif 000008
【図７】
0003181276.tif 000009
【図８】
0003181276.tif 000010
【図９】
0003181276.tif 000011
【図１０】
0003181276.tif 000012
【図１１】
0003181276.tif 000013
【図１２】
0003181276.tif 000014
【図１３】
0003181276.tif 000015
【図１４】
0003181276.tif 000016
【図１５】
0003181276.tif 000017
【図１６】
0003181276.tif 000018
【図１７】
0003181276.tif 000019
【図１８】
0003181276.tif 000020
【図１９】
0003181276.tif 000021
【図２０】
0003181276.tif 000022